(57)【要約】      （修正有）【課題】着用者の動作による吸収性物品の揺動運動を再現し、揺動運動における吸収性物品の液体の含水率を測定することができるとともに、吸収性・快適性に優れた高品質な吸収性物品を製造するための含水率測定装置及び含水率水分測定方法を提供する。【解決手段】含水率測定装置は、吸収性物品に液体が吸収された含水率を測定する測定部１００と、該測定部１００に液体を供給する液体供給部２００と、測定部１００及び液体供給部２００を制御し得る制御部３００と、を備えてなり、測定部１００は、設置台１１０と、該設置台１１０上方に設置するカートリッジ１２０と、着用者の動作による吸収性物品の揺動運動を再現する揺動手段１４０と、からなることを特徴とする。【選択図】図１
2019128342.tif 000002
【特許請求の範囲】
【請求項１】
吸収性物品の含水率を測定する測定部と、該測定部に液体を供給する液体供給部と、前記測定部及び前記液体供給部を制御する制御部と、を備えた前記吸収性物品の含水率を測定する含水率測定装置であって、
前記測定部は、前記吸収性物品の表面に隣接して含水率を測定するためのセンサを備えたカートリッジと、該カートリッジを回動して吸収性物品の着用した状態における前記吸収性物品の揺動状態を再現する揺動手段と、前記カートリッジを上方に設置するための設置台と、を有することを特徴とする含水率測定装置。
【請求項２】
揺動手段は、駆動部の回転駆動力を前後方向のピストン運動に変換するリンクと、該リンクのピストン運動によってカートリッジ全体を前後方向に回動させるための前記カートリッジの上方に配置される上下方向の回転軸部と、吸収性物品を装着して前記回転軸部に連動して回動するスイング板と、を有し、
前記リンクのピストン運動によって前記カートリッジ全体の回転軸部を中心軸として回動させることを特徴とする請求項１記載の含水率測定装置。
【請求項３】
揺動手段は、カートリッジの上方に配置される上下方向の回転軸部の中心軸を所定の傾斜角で傾斜させるように前記カートリッジ全体を傾斜させる傾斜角度調整部と、前記中心軸回りに前記カートリッジ全体を回動させる回転駆動部と、を有することを特徴とする請求項１記載の含水率測定装置。
【請求項４】
揺動手段は、測定部を支持する外枠と、該外枠内に固定された第一の回転軸で回動自在に軸支された内枠と、該内枠に固定された第二の回転軸に軸支されたカートリッジと、前記第一の回転軸及び前記第二の回転軸のそれぞれに独立に回転させる駆動部と、を備え、
該第二の回転軸は、第一の回転軸の回転方向に対して直交するように配設されることを特徴とする請求項１記載の含水率測定装置。
【請求項５】
カートリッジは、該カートリッジ内部の上辺近傍に水漏れ確認センサを有することを特徴とする請求項１ないし４のいずれか一項に記載の含水率測定装置。
【請求項６】
請求項１ないし５のいずれか一項に記載された含水率測定装置を用いて吸収性物品の含水率を測定する含水率測定工程を備えたことを特徴とする含水率測定方法。
【請求項７】
含水率測定工程は、吸収性物品の揺動運動と同時に行うことで、吸収性物品の含水率の常時測定することを特徴とする請求項６記載の含水率測定方法。
【請求項８】
測定した吸収性物品の含水率の時間変化をグラフにして表示するグラフ表示工程を備えたことを特徴とする請求項６記載の含水率測定方法。
【発明の詳細な説明】
【技術分野】
【０００１】
本発明は、液体を吸収させたオムツなどの吸収性物品の含水率を測定する含水率測定装置及び含水率測定方法に関する。
【背景技術】
【０００２】
従来、吸収性・快適性に優れたオムツなどの吸収性物品を研究開発・製造する際に、適切な吸収性素材の選択や配置等を評価する一つの指標として吸収性物品に液体を滴下した際の含水率を測定することが行われている。
【０００３】
例えば、特許文献１に記載された水分測定装置は、オムツなどの吸収性物品である試験体の表面に残存する水分層に光線を照射して散乱光を発生させ、その散乱光を光電変換器によって電圧に変換して検出することで、試験体の表面に残存する水分を測定する表面水分測定装置が提案されている。
【０００４】
また、特許文献２に記載された水分測定装置は、着用者が椅子に座った姿勢、寝床に仰臥した姿勢など静止した状態を再現した状態で吸収性物品の表面にある水分を測定するための水分測定装置が提案されている。
【先行技術文献】
【特許文献】
【０００５】
【特許文献１】特開平１−１３４２３１号公報（特許第２８１２４４０号）
【特許文献２】特開２００８−２４９６０９号公報（特許第４９３２５６８号）
【発明の概要】
【発明が解決しようとする課題】
【０００６】
しかしながら、上述の表面水分測定装置は、着用者が比較的動いていない座った姿勢、仰臥した姿勢などの静止した状態における吸収性物品に残存する水分を測定する表面水分測定装置であって、着用者の歩行（幼児の這い這いなどの這いつくばった状態で移動することも含む）や睡眠時の寝返り等の動作による吸収性物品の揺動状態における液体の吸収された含水率を測定するための含水率測定装置及び含水率測定方法がなかった。
【０００７】
また、オムツを着用した状態で日常生活を行う場合において、日常生活における様々な動作を再現するとともに、長時間の揺動状態における吸収性物品の含水率を精密に測定する含水率測定装置が望まれている。
【０００８】
本発明は、着用者の動作による吸収性物品の揺動状態を再現するとともに、該揺動状態おける吸収性物品の液体の含水率を常時測定することができ、吸収性・快適性に優れた高品質な吸収性物品を製造するための含水率測定装置及び含水率測定方法を提供することを目的とするものである。
【課題を解決するための手段】
【０００９】
本発明は、上記課題に鑑みてなされたものであって、吸収性物品の含水率を測定する測定部と、該測定部に液体を供給する液体供給部と、前記測定部及び前記液体供給部を制御する制御部と、を備えた前記吸収性物品の含水率を測定する含水率測定装置であって、前記測定部は、前記吸収性物品の表面に隣接して含水率を測定するためのセンサを備えたカートリッジと、該カートリッジを回動して吸収性物品の着用した状態における前記吸収性物品の揺動状態を再現する揺動手段と、前記カートリッジを上方に設置するための設置台と、を有することを特徴とする含水率測定装置である。
【００１０】
また、揺動手段は、駆動部の回転駆動力を前後方向のピストン運動に変換するリンクと、該リンクのピストン運動によって前記カートリッジ全体を前後方向に回動させるためのカートリッジの上方に配置された上下方向の回転軸部と、吸収性物品を装着して前記回転軸部に連動して回動するスイング板と、を有し、前記リンクのピストン運動によってカートリッジ全体を回転軸部の中心軸回りに回動させることが好ましい。
【００１１】
また、揺動手段は、カートリッジの上方に配置される上下方向の回転軸部の中心軸を所定の傾斜角で傾斜させるように前記カートリッジ全体を傾斜させる傾斜角度調整部と、中心軸回りに前記カートリッジ全体を回動させる回転駆動部と、を有することが好ましい。
【００１２】
また、揺動手段は、カートリッジ全体を支持する外枠と、該外枠内に固定された第一の回転軸で回動自在に軸支された内枠と、該内枠に固定された第二の回転軸に軸支されたカートリッジと、前記第一の回転軸及び前記第二の回転軸のそれぞれに独立に回転させる駆動部と、を備え、該第二の回転軸は、第一の回転軸の回転方向に対して直交するように配設されることが好ましい。
【００１３】
また、上述した構成に加え、カートリッジは、該カートリッジ内部の上辺近傍に水漏れ確認センサを有することが好ましい。
【００１４】
また、本発明の含水率測定方法は、上述した構成からなる含水率測定装置を用いて吸収性物品の含水率を測定する含水率測定工程を備えてなるものである。
【００１５】
また、上述した構成に加え、含水率測定工程は、吸収性物品の揺動運動と同時に行うことで、吸収性物品の含水率の常時測定することが好ましい。
【００１６】
また、上述した構成に加え、測定した吸収性物品の含水率の時間変化をグラフにして表示するグラフ表示工程を備えることが好ましい。
【発明の効果】
【００１７】
請求項１ないし８記載の発明によれば、着用者の歩行（幼児の這い這い等を含む）や睡眠時の寝返り、走行等の動作による吸収性物品の揺動状態を再現し、その揺動状態における吸収性物品の含水率を測定することができ、吸収性・快適性に優れた高品質な吸収性物品を製造するための含水率測定装置、及び、吸収性物品の揺動状態における時間変化する含水率を常時測定することができる測定方法を提供することが可能である。
【図面の簡単な説明】
【００１８】
【図１】本発明の実施形態に係る含水率測定装置の一例を示す概略斜視図である。
【図２】図１のスイング板に吸収性物品を装着した状態における測定部の拡大斜視図である。
【図３】図２のA−A線拡大中央断面図である。
【図４】図２のB−B線断面図である。
【図５】図２の測定部におけるカートリッジ及びスイング板の一連の回動運動を示す平面図である。
【図６】本実施形態に係る含水率測定装置を用いて吸収性物品の含水率の時間変化の測定結果をプロットした図である。
【図７】第２の実施形態に係る含水率測定装置の測定部の揺動手段を示す概略正面図である。
【図８】図７の(a)側面図、(b)平面図である。
【図９】図７における傾斜角度を(a)９０度、(b)マイナス９０度にした状態を示す概略正面図である。
【図１０】図６の測定部に液体漏れ確認用の水量確認センサ及び液体が漏れた際に受けるための受け皿を示す概略正面図である。
【図１１】図１０の側面図である。
【図１２】第３の実施形態に係る含水率測定装置の測定部を示す概略斜視図である。
【図１３】図１２の測定部の揺動手段を示す(a)平面図、(b)カートリッジ周辺の正面透視図、(c)側面図である。
【図１４】図１２の測定部の揺動状態を示す(a)外枠の第一の回転軸によるカートリッジ及びスイング板の回動運動、(b)内枠の第二の回転軸によるカートリッジ及びスイング板の回動運動、を示す概念図である。
【発明を実施するための形態】
【００１９】
（実施形態）
本発明の実施形態について図に基づいて詳細に説明する。なお、吸収性物品Ｗはオムツ（或いはオムツや生理用ショーツなどの股下周辺に設けられた吸収パッドなどの吸収体）を例示している。また、以下の説明において、平面から見て測定部１００の揺動手段１４０である駆動モータ１４１を備えた筺体側を前方とした前後方向及びそれに前後方向に直交する方向を左右方向、及び、垂直方向を上下方向とする。
【００２０】
含水率測定装置は、図１から図５に示すように、吸収性物品Ｗに液体が吸収された含水率を測定する測定部１００と、該測定部１００に液体を供給する液体供給部２００と、測定部１００及び液体供給部２００を制御し得る制御部３００と、を備えてなり、測定部１００は、吸収性物品Ｗを湾曲した状態で支持する支持面１１１を備えた設置台１１０と、該設置台１１０上方に設置されるカートリッジ１２０と、着用者の動作による吸収性物品Ｗの揺動状態を再現する揺動手段１４０と、を有するものである。
【００２１】
カートリッジ１２０は、図３、図４に示すように、吸収性物品Ｗの表面に液体を供給する供給管１２３と、吸収性物品Ｗの含水率を測定するセンサ１２２と、供給される水量を確認するための水量確認センサ１２４と、を内包する箱体からなるものである。この箱体の外周側底面は、着用者の着用した状態を再現するために、人体の臀部等の形状等を簡易的に模した断面略半円形状の接触面１２１を有し、少なくともオムツ等の吸収性物品Ｗのみに接触し得る程度の面積を有するものであり、該接触面１２１は後述する供給管１２３の供給口１２３ａを吸収性物品Ｗに向けて露出し得る開孔部を有するものである。なお、このカートリッジ１２０全体は、吸収性物品Ｗ、センサ１２２、及び、供給管１２３等を測定部１００の外側から視認しやすくするためにガラスやプラスチックなどの透明素材を主体として形成することが好ましい（図３、図４参照）。
【００２２】
また、このカートリッジ１２０上部には、設置台１１０に設置させた状態のカートリッジ１２０を設置台１１０上方において回動自在に支持する回転軸部１２５を有する。この回転軸部１２５は、中心軸Ｚ方向にカートリッジ１２０内部に連通する略筒状体に形成され、この回転軸部１２５の内周面側には、液体供給部２００の接続管２２０等をカートリッジ１２０の箱体内部に案内する管状のガイド部１２３ｂを有し、この回転軸部１２５の外周側面には、固定板１１２に挟み込む第一周溝１２５ａと、後述する揺動手段１４０の第三リンク１４５を固定する第二周溝１２５ｂと、が形成されている（図３、図４参照）。
【００２３】
設置台１１０は、上述のカートリッジ１２０を揺動運動可能にするために上方に設置するためのものであり、着用者が吸収性物品Ｗを着用した状態で支持し得るように断面略Ｕ字状に湾曲した支持面１１１と、上述のカートリッジ１２０の回転軸部１２５を回動自在に支持する固定板１１２と、を有し、支持面１１１は、カートリッジ１２０における吸収性物品Ｗとの接触面１２１に適合する形状であり、例えば、上述したカートリッジ１２０の外周側底面と同様の形状である断面略半円形状に形成することが好ましい（図３、図４参照）。
【００２４】
供給管１２３は、カートリッジ１２０内部に配設された後述する液体供給部２００の接続管２２０と接続し、液体供給部２００から供給された液体を吸収性物品Ｗの表面に供給する供給口１２３ａを有するものである。この供給官１２３の供給口１２３ａは、吸収性物品Ｗの表面近傍に配置し得るものであり、例えば、着用者が排泄した状態を再現するため、平面からみて、供給口１２３ａの位置は箱体の内部の中心軸Ｚより前方側に約１５度程度傾斜して位置させるものである。また、この供給口１２３ａ付近には、滴下される液量が液体供給部２２０より供給された液量に一致することを確認のために測定する水量確認センサ１２４を有していることが好適である（例えば、パナソニック（株）製デジタルファイバセンサなどが挙げられる。）（図３、図４参照）。
【００２５】
センサ１２２は、カートリッジ１２０の回動運動時においても精度よく測定し得るように光学式のものを使用するとともに、供給管１２３の供給口１２３ａ周囲に固定され、含水率の測定位置である所定の位置の近傍に配設される。このセンサ１２２は、２種類の波長1.3μm及び1.45μmの赤外線を照射する赤外線ダイオードを主体とする光源と、該光源から照射された赤外線が吸収性物品Ｗの表面の反射光を受光して検出するフォトダイオードを主体とする検出部と、を備えるものである。この２種類の波長のうち波長1.3μmは水に吸収されない参照光としてノイズを除去するために測定するとともに、水に吸収される波長1.45μmの反射光を測定することで、吸収性物品Ｗの含水率を測定するものである。また、このセンサ１２２は、供給口１２２ａ周辺の含水率をより一層精密に測定するために少なくとも２つ以上を並列に配設することが好適である（例えば、（株）フジワーク製の２波長水分センサーなどが挙げられる。）（図３、図４参照）。
【００２６】
含水率は、赤外線波長の反射光をセンサ１２２の検出部によって電圧値に変換したもの測定し、予め決められている校正表から与えられた換算係数を掛け合わせることで求められるものである。この換算係数は、乾いた状態の吸収性物品Ｗで測定したある電圧値を含水率０％と、水分を充分に含んだ状態の吸収性物品Ｗで測定したある電圧値を含水率１００％と、を基準とする校正を行ったものを用いることが好適である。
【００２７】
揺動手段１４０は、設置台１１０の側方（前方側）に隣接して設けられた筐体内に配置された駆動モータなどからなる駆動部１４１と、該駆動部１４１の回転駆動力を前後方向（水平方向）のピストン運動に変換するリンクと、を備えるものである。このリンクは、駆動部１４１の回転軸に固定されたクランク１４２と、該クランク１４２に接続してピストン運動する略棒状の第一リンク１４３と、該第一リンク１４３の先端に略垂直方向に立ち上がるように固定された略棒状の第二リンク１４４と、該第二リンク１４４の一端に固定されるとともに、他端にカートリッジ１２０の回転軸部１２５と固定される略平板扇形状の第三リンク１４５と、からなるものである。また、他の揺動手段として、図４に示すように、この第二リンク１４４に第三リンク１４５よりも上方に延伸して形成した把持部１４６を設けることで、手動での第三リンク１４５を前後方向にピストン運動させてカートリッジ１２０及びスイング板１３０を回転させ、吸収性物品Ｗを揺動運動させることも可能である。
【００２８】
上述した揺動手段１４０において、スイング板１３０は、着用者の腰部に位置するようにカートリッジ１２０上面に対して略平行に配置させることが好ましく、前後方向に対して振れ角θを概ね３８度以下で回転軸部１２５の中心軸Ｚ回りに回動させることで、着用者の歩行動作におけるオムツなどの吸収性物品Ｗの揺動状態を再現しているものである（図５参照）。
【００２９】
液体供給部２００は、図１に示すように、液体を保存するボトル２３０と、該ボトル２３０から供給管１２３に液体を汲み上げるポンプ２１０と、該ポンプ２１０と供給管１２３とを接続する接続管２２０と、を備えるものである（例えば、ヤマト科学（株）製可変ポンプ等が挙げられる。）。この接続管２２０は、内径５mm程度の管状に形成されたシリコン樹脂性の弾性チューブなどが好適である（例えば、ヤマト科学（株）製シリコンチューブなどが挙げられる。）。
【００３０】
制御部３００は、図１に示すように、上述した液体供給部２００のポンプ２１０による液体供給量及び供給時間等の設定、測定部１００のセンサ１２２の起動、及び、揺動手段１４０における駆動モータの１４１の駆動、などの様々な基本操作の制御を行う操作部と、測定した含水率のグラフ等を表示する表示部３１０と、測定した含水率を外部端末（PC）に出力する出力部と、備えるものである。この表示部３１０は、感圧式センサなどを備えた液晶画面を用いて操作画面を表示してもよい。また、この外部端末（PC）にも、グラフ等をプロットして表示するデータ処理手段等を備えることが好適である。
【００３１】
吸収性物品Ｗは、着用して排泄等の液体を吸収するものであればよく、例えば、オムツ（紙製、布製、子供用、大人用等を含む）、生理用ナプキン、医療用シーツなどが挙げられる。これらの吸収性物品Ｗの表面には、高い吸収性・水分保持性を備えたポリアクリル酸ナトリウムなどの高吸収性高分子を主体として形成された吸収体が設けられている。
【００３２】
液体は、尿や血液などの体液などが挙げられる。後述する含水率測定方法において、体液に含まれる成分である化合物（塩化ナトリウム、塩化カリウム等）を水に混合して所定の成分比に調整された人口尿、人口血液、生理食塩水等を用いて測定してもよい。
【００３３】
次に、上述した構成からなる含水率測定装置によって吸収体物品Ｗに吸収された液体の含水率を測定する含水率測定工程（S1−S5）を備えた含水率測定方法について詳細に説明する。
【００３４】
(S1)測定対象である吸収性物品Ｗは、吸収性物品Ｗ上方から測定部１００のカートリッジ１２０で吸収性物品Ｗを設置台１１０の支持面１１１で挟持させるとともに、着用者の腰部の位置に当たるスイング板１３０に吸収性物品Ｗの腰回りを装着させることで着用者が吸収性物品Ｗを着用した状態を擬似的に再現する。
【００３５】
(S2)このとき、測定部１００のセンサ１２２及び供給管１２３の供給口１２３ａを所定の測定位置である中心軸Ｚより前方１５度傾斜させた位置に配置して、着用者が排泄した際に液体が滴下され得る位置の状態を再現する。
【００３６】
(S3)次に、揺動手段１４０によって測定部１００のカートリッジ１２０及びスイング板１３０を回動運動させることで着用者の歩行動作における吸収性物品Ｗの揺動状態を再現するとともに、液体供給部２００から液体を供給管１２３に供給し、供給口１２３ａから所定量の液体を吸収性物品Ｗに断続的に所定時間（数分から数時間）を空けて数回滴下する。この各回における滴下液量は、概ね１０００cc以下とすることが好ましい。
【００３７】
(S4)上記工程S3と同時に、センサ１２２の光源より赤外線波長を照射して、吸収性物品Ｗで反射された赤外線によって検出された電圧値を測定し、該電圧値を予め決められた校正表の換算係数を掛け合わせることで算出された含水率を表示する。このとき、この換算係数は、予め乾燥した吸収性物品Ｗ及び充分に水分を含んだ状態の吸収性物品Ｗにおける電圧値を測定し、それぞれ含水率０％及び１００％に校正したものを使用することが好ましい。
【００３８】
(S5)上記工程S1−S3を数分から数時間等の所望の時間を制御部３００で制御し、測定を繰り返すと同時に、表示部３１０に測定した含水率及びその時間変化のグラフをプロットして表示する。また、測定したデータを外部端末（PC）に出力して保存及びグラフのプロット等を行ってもよい。
【００３９】
上述した含水率測定工程（S1−S5）によって測定された含水率の測定結果を、吸収性物品Ｗの含水率の時間変化をグラフとしてプロットした一例を図６に示す（グラフ表示工程）。
【００４０】
このように、上述した本実施形態によって、着用者の歩行動作による吸収性物品Ｗの揺動状態を再現するとともに、該揺動状態において吸収性物品Ｗの含水率の時間変化を常時測定することができる含水率測定装置及び含水率測定方法を提供することが可能である。
【００４１】
また、第２の実施形態として、図７、８、９に示すように、測定部１００における上下方向の回転軸部１２５の軸心である中心軸Ｚを所定の傾斜角度γで傾斜させる傾斜角度調整部１５１と、この中心軸Ｚ回りにカートリッジ１２０を回動させる回転駆動部１５２と、を備えた吸収性物品Ｗの揺動手段１５０について詳細に説明する。なお、上述した実施形態の構成と共通する部分は、図面に番号のみ付し詳細な説明については省略する。
【００４２】
傾斜角度調整部１５１は、図８(a)に示すように、設置台１１０の上方に設置するカートリッジ１２０全体を支持する脚部１５１ａと、該脚部１５１ａから上方に立設された支柱部１５１ｂと、該支柱部１５１ｂから脚部１５１ａの支持面１１１に対して略水平方向に軸着するとともに先端に測定部１００の回転軸部１２５を固定する固定軸部１５１ｃと、該固定軸部１５１ｃを回転させる駆動モータ１５１ｄと、を備えてなるものである。この駆動モータ１５１ｄは、複数の回転ギア１５１ｆ、１５１ｆによって固定軸部１５１ｃと噛合させて所定の回転動作をさせることで、測定部１００の回転軸部１２５における中心軸Ｚを所望の傾斜角度γに傾斜させるものである。また、この駆動モータ１５１ｄは、制御部３００に接続して所望の傾斜角度γを任意に入力することで、カートリッジ１２０を所望の傾斜角度γで傾斜させるように制御することが好ましい。
【００４３】
回転駆動部１５２は、図８(b)に示すように、測定部１００のカートリッジ１２０の上方に位置し、測定部１００の回転軸部１２５に隣接するように固定され、カートリッジ１２０の回転軸部１２５の外周に設けられた伝動ギア１２５ｃと、該伝動ギア１２５ｃと噛合してカートリッジ１２０を中心軸Ｚ回りに回動させる回転ギア１５２ａと、該回転ギア１２５ａを回転させる駆動モータ１２５ｂと、を備えてなるものである。この駆動モータ１５２ｂの回転数・回転方向等は制御部３００に接続して制御することが好ましい。
【００４４】
この第２の実施形態によって、例えば、図９(a)に示す傾斜角度γを９０度とした場合、着用者が寝床で仰臥した状態で身体を回転させる寝返りをした動作による吸収性物品Ｗの揺動状態を再現した状態での吸収性物品の含水率を測定することが可能である。また、図９(b)に示す傾斜角度γをマイナス９０度とした場合、着用者が寝床でうつ伏せになった状態で身体を回転させる寝返り動作による吸収性物品Ｗの揺動状態を再現した状態での含水率を測定することが可能である。また、図９の(a)(b)のような動作を繰り返して振り子のように運動させることで、ブランコ等の遊具に乗ることや自動車等に乗車する際に、歩行や着座した状態に比べてより激しい揺動状態を再現した状態における吸収性物品Ｗの含水率を測定することが可能である。
【００４５】
また、上述した第２の実施形態に加え、図１０、１１に示すように、測定部１００のカートリッジ１２０内部の上辺近傍に水漏れ確認センサ１２６（水量確認センサ１２４と同様のもの）を取り付けることで、測定部１００のカートリッジ１２０を揺動させた際に吸収性物品Wであるオムツを着用した状態において、着用者の腰部周辺での液体漏れを確認することができる。また、液体が漏れた場合においても、カートリッジ１２０の揺動する範囲を平面からみてカバーでき得る程度の幅を少なくとも有する略長方形状の受け皿１１３を備えつけることが好ましい。
【００４６】
また、第３の実施形態として、図１２、１３、１４に示すように、測定部１００のカートリッジ１２０を上下方向に揺動する揺動手段１６０について詳細に説明する。
【００４７】
揺動手段１６０は、設置台１１０に設置する測定部１００全体を固定する略方形状の外枠１６１と、該外枠１６１内に第一の回転軸１６１ａで回動自在に支持された略方形状の内枠１６２と、該内枠１６２内に設けられた第二の回転軸１６２ａと、該カートリッジ１２０に連動して揺動する吸収性物品Ｗを固定するためのスイング板１３０と、を備え、第二の回転軸１６２ａは、該内枠１６２の回転方向に対して直交するように設けられたものである。すなわち、第一の回転軸１６１ａはカートリッジ１２０と内枠１６２とを回動運動させ（図１４(a)参照）、第二の回転軸１６２ａは内枠１６２によって構成される平面に対してカートリッジ１２０を回動運動させる（図１４(b)参照）。
【００４８】
この第一の回転軸１６１ａ及び第二の回転軸１６２ａの駆動部は、回転方向を切替えることが可能な駆動モータなどからなる駆動部１６１ｂ、１６２ｂを外枠１６１及び内枠１６２にそれぞれ直接固定するものである。また、これらの駆動部１６１ｂ、１６２ｂの回転数・回転方向等は制御部３００に接続して制御する。
【００４９】
この第３の実施形態によって、外枠１６１の第一の回転軸１６１ａによるカートリッジ１２０及びスイング板１３０の回動運動と、内枠１６２の第二の回転軸１６２ａによるカートリッジ１２０及びスイング板１３０の回動運動と、の組み合わせによる吸収性物品Ｗの揺動手段１６０によって、着用者がより激しく運動した動作、例えば、走行等の急激な動作による吸収性物品Ｗの揺動状態を再現することができ、そのような揺動状態においても、吸収性物品Ｗの含水率を測定することができる含水率測定装置を提供することが可能である。
【００５０】
上記の実施形態では本発明の好ましい実施形態を複数例示したが、本発明は上記の実施形態のみに限定されるものではなく、特許請求の範囲に記載した範囲内で改善や変更が可能である。例えば、測定部全体を覆うカバーを備え、内部に湿度計を組み込むことで湿度を同時に測定すること、又は、測定部上方に錘等を組み込んだ荷重印加手段を加えることで着用者の体重による負荷を加えた状態を再現すること、又は、着用者の体温などを再現するために電熱線などによる温度調整手段、など測定対象である吸収性物品に合わせて適宜に変更することが可能である。
【符号の説明】
【００５１】
Ｗ…吸収性物品、θ…振れ角、Ｚ…中心軸、γ…傾斜角度
100…測定部、
110…設置台、111…支持面、112…固定板、113…受け皿、
120…カートリッジ、121…接触面、122…センサ、123…供給管、123a…供給口、123b
…ガイド部、124…水量確認センサ、125…回転軸部、125a…第一周溝、125b…第二周溝、 125c…伝動ギア、126…水漏れ確認センサ、
130…スイング板、
140…揺動手段、141…駆動モータ、142…クランク、143…第一リンク、144…第二リンク、145…第三リンク、146…把持部、
150…揺動手段、151…傾斜角度調整部、151a…脚部、151b…支柱部、151c…固定軸部、151d…駆動モータ、151f…回転ギア、152…回転駆動部、152a…回転ギア、152b…駆動モータ、
160…揺動手段、161…外枠、161a…第一の回転軸、161b…駆動部（駆動モータ）、162…内枠、162a…第二の回転軸、162b…駆動部（駆動モータ）、
200…液体供給部、210…ポンプ、220…接続管、230…ボトル、
300…制御部、310…表示部
【図１】
2019128342.tif 000003
【図２】
2019128342.tif 000004
【図３】
2019128342.tif 000005
【図４】
2019128342.tif 000006
【図５】
2019128342.tif 000007
【図６】
2019128342.tif 000008
【図７】
2019128342.tif 000009
【図８】
2019128342.tif 000010
【図９】
2019128342.tif 000011
【図１０】
2019128342.tif 000012
【図１１】
2019128342.tif 000013
【図１２】
2019128342.tif 000014
【図１３】
2019128342.tif 000015
【図１４】
2019128342.tif 000016